(57)【要約】【課題】レンチキュラーシートと立体表示用プリントを貼り合わせてレンチキュラーシートを作成するに際し、レンチキュラーシートと立体表示用プリントとの位置がずれないようにする。【解決手段】レンチキュラーシート１の裏面における一方の短辺近傍の領域Ａ１に、熱溶融性の接着剤３を付与する。接着剤３が付与された領域Ａ１と間隔Ａ３を空けて、透明なアクリル樹脂系の接着剤４を付与し、剥離シート５を貼り付ける。レンチキュラーシート１と立体表示用プリントとの位置合わせ後、領域Ａ１を加熱してシート１とプリントとを接着し、その後、剥離シート５を剥離して、シート１とプリントとを接着し、レンチキュラープリントを作成する。【選択図】図１
2010191326.tif 000002
【特許請求の範囲】
【請求項１】
立体視が可能な立体画像が付与された立体表示用プリントに貼付される、複数のシリンドリカルレンズを平行に並べて構成されるレンチキュラーシートであって、前記立体表示用プリントの前記立体画像の非付与領域に対応する裏面側における少なくとも一部に、所定の作用により接着力を発揮する第１の接着剤が付与され、前記立体表示用プリントの前記立体画像の付与領域に対応する領域に剥離材とともに透明の第２の接着剤が付与されてなるレンチキュラーシートと、前記立体表示用プリントとの位置合わせを行う位置合わせ手段と、
該位置合わせ後の前記レンチキュラーシートにおける前記第１の接着剤に前記所定の作用を加えて、前記レンチキュラーシートの前記少なくとも一部と前記立体表示用プリントにおける前記立体画像の非付与領域とを接着する第１の接着手段と、
該接着後、前記レンチキュラーシートから前記剥離材を剥離する剥離手段と、
該剥離材が剥離された前記レンチキュラーシートの前記第２の接着剤が付与された領域と、前記立体表示用プリントの前記立体画像の付与領域とを接着する第２の接着手段と、
前記接着後の前記レンチキュラーシートおよび前記立体表示用プリントにおける前記立体画像の非付与領域を、該立体画像の付与領域から切断する切断手段とを備えたことを特徴とするレンチキュラープリント作成装置。
【請求項２】
複数のシリンドリカルレンズを平行に並べて構成されるレンチキュラーシートを貼付することにより立体視が可能な立体画像が付与された立体表示用プリントであって、前記立体画像の非付与領域における少なくとも一部に、所定の作用により接着力を発揮する第１の接着剤が付与され、前記立体画像の付与領域に透明剥離材とともに透明の第２の接着剤が付与されてなる立体表示用プリントと、前記レンチキュラーシートとの位置合わせを行う位置合わせ手段と、
該位置合わせ後の前記立体表示用プリントにおける前記第１の接着剤に前記所定の作用を加えて、前記立体表示用プリントにおける前記立体画像の非付与領域と前記レンチキュラーシートとを接着する第１の接着手段と、
該接着後、前記立体表示用プリントから前記透明剥離材を剥離する剥離手段と、
該透明剥離材が剥離された前記立体表示用プリントの前記立体画像の付与領域と。前記レンチキュラーシートの該付与領域に対応する領域とを接着する第２の接着手段と、
前記接着後の前記レンチキュラーシートおよび前記立体表示用プリントにおける前記立体画像の非付与領域を、該立体画像の付与領域から切断する切断手段とを備えたことを特徴とするレンチキュラープリント作成装置。
【請求項３】
立体視が可能な立体画像が付与された立体表示用プリントに貼付される、複数のシリンドリカルレンズを平行に並べて構成されるレンチキュラーシートであって、前記立体表示用プリントの前記立体画像の非付与領域に対応する裏面側における少なくとも一部に、所定の作用により接着力を発揮する第１の接着剤が付与され、前記立体表示用プリントの前記立体画像の付与領域に対応する領域に剥離材とともに透明の第２の接着剤が付与されてなるレンチキュラーシートと、前記立体表示用プリントとの位置合わせを行い、
該位置合わせ後の前記レンチキュラーシートにおける前記第１の接着剤に前記所定の作用を加えて、前記レンチキュラーシートの前記少なくとも一部と前記立体表示用プリントにおける前記立体画像の非付与領域とを接着し、
該接着後、前記レンチキュラーシートから前記剥離材を剥離し、
該剥離材が剥離された前記レンチキュラーシートの前記第２の接着剤が付与された領域と、前記立体表示用プリントの前記立体画像の付与領域とを接着し、
前記接着後の前記レンチキュラーシートおよび前記立体表示用プリントにおける前記立体画像の非付与領域を、該立体画像の付与領域から切断することを特徴とするレンチキュラープリント作成方法。
【請求項４】
複数のシリンドリカルレンズを平行に並べて構成されるレンチキュラーシートを貼付することにより立体視が可能な立体画像が付与された立体表示用プリントであって、前記立体画像の非付与領域における少なくとも一部に、所定の作用により接着力を発揮する第１の接着剤が付与され、前記立体画像の付与領域に透明剥離材とともに透明の第２の接着剤が付与されてなる立体表示用プリントと、前記レンチキュラーシートとの位置合わせを行い、
該位置合わせ後の前記立体表示用プリントにおける前記第１の接着剤に前記所定の作用を加えて、前記立体表示用プリントにおける前記立体画像の非付与領域と前記レンチキュラーシートとを接着し、
該接着後、前記立体表示用プリントから前記透明剥離材を剥離し、
該透明剥離材が剥離された前記立体表示用プリントの前記立体画像の付与領域と。前記レンチキュラーシートの該付与領域に対応する領域とを接着し、
前記接着後の前記レンチキュラーシートおよび前記立体表示用プリントにおける前記立体画像の非付与領域を、該立体画像の付与領域から切断することを特徴とするレンチキュラープリント作成方法。
【請求項５】
立体視が可能な立体画像が付与された立体表示用プリントに貼付される、複数のシリンドリカルレンズを平行に並べて構成されるレンチキュラーシートにおいて、
前記立体表示用プリントの前記立体画像の非付与領域に対応する裏面側における少なくとも一部に、所定の作用により接着力を発揮する第１の接着剤が付与され、前記立体表示用プリントの前記立体画像の付与領域に対応する領域に剥離材とともに透明の第２の接着剤が付与されてなることを特徴とするレンチキュラーシート。
【請求項６】
前記第１の接着剤と前記第２の接着剤とが所定間隔を空けて付与されてなることを特徴とする請求項５記載のレンチキュラーシート。
【請求項７】
複数のシリンドリカルレンズを平行に並べて構成されるレンチキュラーシートを貼付することにより立体視が可能な立体画像が付与された立体表示用プリントにおいて、
前記立体画像の非付与領域における少なくとも一部に、所定の作用により接着力を発揮する第１の接着剤が付与され、前記立体画像の付与領域に透明剥離材とともに透明の第２の接着剤が付与されてなることを特徴とする立体表示用プリント。
【請求項８】
前記第１の接着剤と前記第２の接着剤とが所定間隔を空けて付与されてなることを特徴とする請求項３記載の立体表示用プリント。
【発明の詳細な説明】
【技術分野】
【０００１】
本発明は、立体視が可能な立体画像が付与された立体表示用シートにレンチキュラーシートを貼り付けることにより、レンチキュラープリントを作成するレンチキュラープリント作成装置および方法、レンチキュラーシート並びに立体表示用プリントに関するものである。
【背景技術】
【０００２】
複数の画像を組み合わせて３次元表示することにより、視差を利用して立体視できることが知られている。このような立体視は、同一の被写体を異なる位置から複数のカメラを用いて撮影することにより、視差を有する複数の画像（視差画像とする）を取得し、複数の視差画像に含まれる被写体の視差を利用して複数の画像を３次元表示することにより行うことができる。
【０００３】
ここで、画像を３次元表示するための方式として、レンチキュラープリントが公知である。レンチキュラープリントは、複数の撮影部を有する多眼撮影装置により取得された複数の視差画像を、垂直方向に短冊状に切り取って交互に配置することにより立体画像を生成し、立体画像をプリント用紙にプリントして立体表示用プリントを作成し、短冊状の画像とレンチキュラーシートの個々のシリンドリカルレンズとの位置合わせを行った後に、例えば特許文献１に記載された手法を用いて、立体表示用プリントとレンチキュラーシートとを接着剤を用いて貼り合わせることにより作成することができる。ここで、レンチキュラーシートには、透明接着剤と剥離紙等の剥離材とが付与されており、位置合わせを行った後、剥離材を剥離してレンチキュラーシートと立体表示用プリントとを接着することにより、レンチキュラープリントを作成することができる。
【先行技術文献】
【特許文献】
【０００４】
【特許文献１】特開平５−２７８２０７号公報
【発明の概要】
【発明が解決しようとする課題】
【０００５】
ところで、レンチキュラーシートにおける個々のシリンドリカルレンズの幅と、各シリンドリカルレンズに対応する１組の視差画像との位置がずれてしまうと、立体視ができなくなったり、モアレによる画質の低下が発生する。このため、レンチキュラーシートと立体表示用プリントとを貼り合わせる際には、レンチキュラーシートと立体表示用プリントとの位置合わせを精度よく行う必要がある。しかしながら、位置合わせを精度よく行っても、レンチキュラーシートから剥離材を剥離する際に、レンチキュラーシートと立体表示用プリントとの位置がずれてしまうおそれがある。
【０００６】
本発明は、上記事情に鑑みなされたものであり、レンチキュラーシートと立体表示用プリントを貼り合わせてレンチキュラーシートを作成するに際し、レンチキュラーシートと立体表示用プリントとの位置がずれないようにすることを目的とする。
【課題を解決するための手段】
【０００７】
本発明による第１のレンチキュラープリント作成装置は、立体視が可能な立体画像が付与された立体表示用プリントに貼付される、複数のシリンドリカルレンズを平行に並べて構成されるレンチキュラーシートであって、前記立体表示用プリントの前記立体画像の非付与領域に対応する裏面側における少なくとも一部に、所定の作用により接着力を発揮する第１の接着剤が付与され、前記立体表示用プリントの前記立体画像の付与領域に対応する領域に剥離材とともに透明の第２の接着剤が付与されてなるレンチキュラーシートと、前記立体表示用プリントとの位置合わせを行う位置合わせ手段と、
該位置合わせ後の前記レンチキュラーシートにおける前記第１の接着剤に前記所定の作用を加えて、前記レンチキュラーシートの前記少なくとも一部と前記立体表示用プリントにおける前記立体画像の非付与領域とを接着する第１の接着手段と、
該接着後、前記レンチキュラーシートから前記剥離材を剥離する剥離手段と、
該剥離材が剥離された前記レンチキュラーシートの前記第２の接着剤が付与された領域と、前記立体表示用プリントの前記立体画像の付与領域とを接着する第２の接着手段と、
前記接着後の前記レンチキュラーシートおよび前記立体表示用プリントにおける前記立体画像の非付与領域を、該立体画像の付与領域から切断する切断手段とを備えたことを特徴とするものである。
【０００８】
本発明による第２のレンチキュラープリント作成装置は、複数のシリンドリカルレンズを平行に並べて構成されるレンチキュラーシートを貼付することにより立体視が可能な立体画像が付与された立体表示用プリントであって、前記立体画像の非付与領域における少なくとも一部に、所定の作用により接着力を発揮する第１の接着剤が付与され、前記立体画像の付与領域に透明剥離材とともに透明の第２の接着剤が付与されてなる立体表示用プリントと、前記レンチキュラーシートとの位置合わせを行う位置合わせ手段と、
該位置合わせ後の前記立体表示用プリントにおける前記第１の接着剤に前記所定の作用を加えて、前記立体表示用プリントにおける前記立体画像の非付与領域と前記レンチキュラーシートとを接着する第１の接着手段と、
該接着後、前記立体表示用プリントから前記透明剥離材を剥離する剥離手段と、
該透明剥離材が剥離された前記立体表示用プリントの前記立体画像の付与領域と。前記レンチキュラーシートの該付与領域に対応する領域とを接着する第２の接着手段と、
前記接着後の前記レンチキュラーシートおよび前記立体表示用プリントにおける前記立体画像の非付与領域を、該立体画像の付与領域から切断する切断手段とを備えたことを特徴とするものである。
【０００９】
「所定の作用により接着力を発揮する第１の接着剤」としては、例えば熱を加えることにより溶融して接着力を発揮する熱溶融性の接着剤、加圧することにより接着力を発揮する接着剤、および紫外線等の光の照射により接着力を発揮する接着剤等を用いることができる。
【００１０】
本発明による第１のレンチキュラープリント作成方法は、立体視が可能な立体画像が付与された立体表示用プリントに貼付される、複数のシリンドリカルレンズを平行に並べて構成されるレンチキュラーシートであって、前記立体表示用プリントの前記立体画像の非付与領域に対応する裏面側における少なくとも一部に、所定の作用により接着力を発揮する第１の接着剤が付与され、前記立体表示用プリントの前記立体画像の付与領域に対応する領域に剥離材とともに透明の第２の接着剤が付与されてなるレンチキュラーシートと、前記立体表示用プリントとの位置合わせを行い、
該位置合わせ後の前記レンチキュラーシートにおける前記第１の接着剤に前記所定の作用を加えて、前記レンチキュラーシートの前記少なくとも一部と前記立体表示用プリントにおける前記立体画像の非付与領域とを接着し、
該接着後、前記レンチキュラーシートから前記剥離材を剥離し、
該剥離材が剥離された前記レンチキュラーシートの前記第２の接着剤が付与された領域と、前記立体表示用プリントの前記立体画像の付与領域とを接着し、
前記接着後の前記レンチキュラーシートおよび前記立体表示用プリントにおける前記立体画像の非付与領域を、該立体画像の付与領域から切断することを特徴とするものである。
【００１１】
本発明による第２のレンチキュラープリント作成方法は、複数のシリンドリカルレンズを平行に並べて構成されるレンチキュラーシートを貼付することにより立体視が可能な立体画像が付与された立体表示用プリントであって、前記立体画像の非付与領域における少なくとも一部に、所定の作用により接着力を発揮する第１の接着剤が付与され、前記立体画像の付与領域に透明剥離材とともに透明の第２の接着剤が付与されてなる立体表示用プリントと、前記レンチキュラーシートとの位置合わせを行い、
該位置合わせ後の前記立体表示用プリントにおける前記第１の接着剤に前記所定の作用を加えて、前記立体表示用プリントにおける前記立体画像の非付与領域と前記レンチキュラーシートとを接着し、
該接着後、前記立体表示用プリントから前記透明剥離材を剥離し、
該透明剥離材が剥離された前記立体表示用プリントの前記立体画像の付与領域と。前記レンチキュラーシートの該付与領域に対応する領域とを接着し、
前記接着後の前記レンチキュラーシートおよび前記立体表示用プリントにおける前記立体画像の非付与領域を、該立体画像の付与領域から切断することを特徴とするものである。
【００１２】
本発明によるレンチキュラーシートは、立体視が可能な立体画像が付与された立体表示用プリントに貼付される、複数のシリンドリカルレンズを平行に並べて構成されるレンチキュラーシートにおいて、
前記立体表示用プリントの前記立体画像の非付与領域に対応する裏面側における少なくとも一部に、所定の作用により接着力を発揮する第１の接着剤が付与され、前記立体表示用プリントの前記立体画像の付与領域に対応する領域に剥離材とともに透明の第２の接着剤が付与されてなることを特徴とするものである。
【００１３】
なお、本発明によるレンチキュラーシートにおいては、前記第１の接着剤と前記第２の接着剤とを所定間隔を空けて付与してもよい。
【００１４】
本発明による立体表示用プリントは、複数のシリンドリカルレンズを平行に並べて構成されるレンチキュラーシートを貼付することにより立体視が可能な立体画像が付与された立体表示用プリントにおいて、
前記立体画像の非付与領域における少なくとも一部に、所定の作用により接着力を発揮する第１の接着剤が付与され、前記立体画像の付与領域に透明剥離材とともに透明の第２の接着剤が付与されてなることを特徴とするものである。
【００１５】
なお、本発明による立体表示用プリントにおいては、前記第１の接着剤と前記第２の接着剤とを所定間隔を空けて付与してもよい。
【発明の効果】
【００１６】
本発明の第１のレンチキュラープリント作成装置および方法によれば、レンチキュラーシートと立体表示用プリントとの位置合わせが行われ、位置合わせ後のレンチキュラーシートにおける第１の接着剤に所定の作用が加えられて、レンチキュラーシートの少なくとも一部と立体表示用プリントにおける立体画像の非付与領域とが接着される。そして、接着後、レンチキュラーシートから剥離材が剥離され、剥離材が剥離されたレンチキュラーシートと立体表示用プリントとが接着され、接着後のレンチキュラーシートおよび立体表示用プリントにおける立体画像の非付与領域が立体画像の付与領域から切断されてレンチキュラープリントの作成が完了する。
【００１７】
このように、レンチキュラーシートと立体表示用プリントとの位置合わせ後に、レンチキュラーシートの少なくとも一部と立体表示用プリントにおける立体画像の非付与領域とを接着したため、剥離材を剥離する際にレンチキュラーシートと立体表示用プリントとの位置がずれてしまうことを防止できる。したがって、作成されたレンチキュラープリントの立体視を良好に行うことができる。
【００１８】
また、本発明の第２のレンチキュラープリント作成装置および方法によれば、レンチキュラーシートと立体表示用プリントとの位置合わせが行われ、位置合わせ後の立体表示用プリントにおける第１の接着剤に所定の作用が加えられて、立体表示用プリントにおける立体画像の非付与領域とレンチキュラーシートとが接着される。そして、接着後、立体表示用プリントから透明剥離材が剥離され、透明剥離材が剥離された立体表示用プリントとレンチキュラーシートとが接着され、接着後のレンチキュラーシートおよび立体表示用プリントにおける立体画像の非付与領域が立体画像の付与領域から切断されてレンチキュラープリントの作成が完了する。
【００１９】
このように、レンチキュラーシートと立体表示用プリントとの位置合わせ後に、レンチキュラーシートと立体表示用プリントにおける立体画像の非付与領域とを接着したため、透明剥離材を剥離する際にレンチキュラーシートと立体表示用プリントとの位置がずれてしまうことを防止できる。したがって、作成されたレンチキュラープリントの立体視を良好に行うことができる。
【００２０】
また、レンチキュラーシートまたは立体表示用プリントにおける、第１および第２の接着剤とを所定の間隔を空けて付与することにより、剥離材の剥離が容易となる。
【図面の簡単な説明】
【００２１】
【図１】本発明の実施形態によるレンチキュラーシートの平面図
【図２】本発明の実施形態によるレンチキュラーシートの裏面図
【図３】本発明の実施形態によるレンチキュラーシートの部分斜視図
【図４】図１のＩ−Ｉ線断面図
【図５】本実施形態によるレンチキュラーシートが貼り付けられる立体表示用プリントを示す平面図
【図６】立体画像および位置合わせを説明するための図
【図７】本発明の実施形態によるレンチキュラープリント作成装置の構成を示す図
【図８】本実施形態において行われる処理を示すフローチャート
【図９】レンチキュラープリント作成装置の動作を説明するための図（その１）
【図１０】レンチキュラープリント作成装置の動作を説明するための図（その２）
【図１１】他の実施形態による立体表示用プリントを示す平面図
【図１２】レンチキュラープリント作成装置の動作を説明するための図（その３）
【図１３】熱溶融性の接着剤を付与する部分の他の例を示す図
【発明を実施するための形態】
【００２２】
以下、図面を参照して本発明の実施形態について説明する。図１は本発明の実施形態によるレンチキュラーシートの平面図、図２は裏面図、図３は部分斜視図、図４は図１のＩ−Ｉ線断面図である。レンチキュラーシート１は、複数のシリンドリカルレンズ２を並列に並べることにより構成されており、その裏面における一方の短辺近傍の領域には、例えばホットメルト等の熱溶融性の接着剤３が付与されている。
【００２３】
また、接着剤３が付与された領域Ａ１と間隔Ａ３を空けて、透明なアクリル樹脂系の接着剤４が付与されている。また、接着剤４には剥離シート５が貼り付けられている。剥離シート５には、後述するようにレンチキュラーシート１から剥離シート５を剥離する際に使用するつまみ部５Ａが形成されている。なお、レンチキュラーシート１の領域Ａ１には、本実施形態によるレンチキュラーシート１が貼り付けられる立体表示用プリントと位置合わせをするための二重丸形状のマーカー６が付与されている。
【００２４】
図５は本実施形態によるレンチキュラーシート１が貼り付けられる立体表示用プリントを示す平面図である。図２に示すように立体表示用プリント１１は、レンチキュラーシート１の領域Ａ１と接着するための画像がプリントされていない領域Ａ１１および立体視を行うための立体画像Ｇ３がプリントされた領域Ａ１２を有する。領域Ａ１１には、レンチキュラーシート１と位置合わせをするための、マーカー６と同一形状のマーカー１２が付与されている。
【００２５】
図６は立体画像および位置合わせを説明するための図である。図６に示すように立体画像Ｇ３は、複数の撮影部を有する多眼撮影装置の各撮影部において取得された複数の画像を、垂直方向に短冊状に切り取って交互に配置することにより生成されてなるものである。例えば、多眼撮影装置が２つの撮像部を有し、２つの撮影部により取得される画像をそれぞれＧ１，Ｇ２とすると、立体画像は図６に示すように２つの画像Ｇ１，Ｇ２から得られる短冊状のパターンを交互に配置することにより生成される。そして立体画像をプリント用紙にプリントすることにより、立体表示用プリント１１が作成される。なお、画像Ｇ１，Ｇ２の１つの組は、その幅がレンチキュラーシート１におけるシリンドリカルレンズ２の幅と一致するように生成される。
【００２６】
そして本実施形態においては、図６に示すように、立体画像Ｇ３における画像Ｇ１，Ｇ２の１つの組が、レンチキュラーシート１における１つのシリンドリカルレンズ２の幅内に収まるように、レンチキュラーシート１と立体表示用プリント１１との位置合わせを行った後に、レンチキュラーシート１と立体表示用プリント１１とを接着してレンチキュラープリントを作成するものある。なお、レンチキュラーシート１におけるマーカー６および立体表示用プリント１１におけるマーカー１２は、マーカー６，１２の位置が一致したときに、立体画像Ｇ３における画像Ｇ１，Ｇ２の１つの組が、レンチキュラーシート１における１つのシリンドリカルレンズ２の幅内に収まるような位置にそれぞれ付与されている。
【００２７】
図７は本発明の実施形態によるレンチキュラーシート１および立体表示用プリント１１からレンチキュラープリントを作成する装置の構成を示す図である。図７に示すように本実施形態によるレンチキュラープリント作成装置２０は、立体表示用プリント１１を固定する固定部２１、レンチキュラーシート１を移動自在に保持する保持部２２、保持部２２を駆動する駆動部２３、位置合わせ用の検出部２４、レンチキュラーシート１の領域Ａ１を加熱するための加熱部２５、レンチキュラーシート１から剥離シート５を剥離する剥離部２６、レンチキュラーシート１と立体表示用プリント１１とを接着するためにレンチキュラーシート１を加圧する加圧ローラ２７、およびレンチキュラーシート１と立体表示用プリント１１とを接着した後に、不要な部分を切断する切断部２８とを備える。
【００２８】
固定部２１は、複数の孔３０が形成された、立体表示用プリント１１を載置するステージ３１を有し、孔３０に不図示のポンプにより負圧を作用させることにより、立体表示用プリント１１をステージ３１上に固定する。
【００２９】
保持部２２は、レンチキュラーシート１における領域Ａ２の四隅をその上部から吸着する４つの吸着部３２Ａ〜３２Ｄ、および４つの吸着部３２Ａ〜３２Ｄをその四隅に保持する矩形のフレーム３３を有し、フレーム３３が駆動部２３と接続されている。
【００３０】
駆動部２３は公知の機構からなり、制御部２９からの指示に応じて保持部２２に保持されたレンチキュラーシート１を、固定部２１に固定された立体表示用プリント１１に対して平行に移動するとともに、回転させるように移動して、立体表示用プリント１１に対するレンチキュラーシート１の位置合わせを行う。また、駆動部２３は、保持部２２に保持されたレンチキュラーシート１を、固定部２１に固定された立体表示用プリント１１に対して離接可能に駆動するとともに、後述する切断部２８の方向に移動するように駆動する。
【００３１】
検出部２４は、撮像素子を有し、レンチキュラーシート１におけるマーカー６および立体表示用プリント１１におけるマーカー１２の部分を撮影し、撮影により得られる画像を制御部２９に出力する。
【００３２】
加熱部２５は、ヒーターからなり、位置合わせ後のレンチキュラーシート１の領域Ａ１を加熱する。なお、加熱部２５は不図示の駆動部により、固定部２１に対して離接可能に駆動される。
【００３３】
剥離部２６は、図７におけるｙ方向にレンチキュラーシート１の全幅を超えて延在する、不図示のモータにより回転駆動される線状部材からなり、位置合わせされかつ領域Ａ１が立体表示用プリント１１と接着されたレンチキュラーシート１の剥離シート５のつまみ部５Ａをつまみ、剥離シート５を巻き取りつつ、剥離シート５をレンチキュラーシート１から剥離する。
【００３４】
加圧ローラ２７は、図７におけるｙ方向のレンチキュラーシート１の全幅を超えて延在する、不図示のモータにより駆動される円柱形状の部材からなり、剥離シート５が剥離されたレンチキュラーシート１の領域Ａ２の上面を転がりつつ、レンチキュラーシート１を立体表示用プリント１１に向けて押圧することにより加圧し、レンチキュラーシート１の接着剤４が付与された領域Ａ２と、立体表示用プリント１１の立体画像Ｇ３がプリントされた領域Ａ１２とを接着する。
【００３５】
切断部２８は、カッターからなり、接着後に切断部２８の位置まで搬送されたレンチキュラーシート１および立体表示用プリント１１における不要部分、すなわちレンチキュラーシート１の領域Ａ１の部分を、領域Ａ１と接着された立体表示用プリント１１の領域Ａ１１の部分とともに切断する。
【００３６】
制御部２９は、検出部２４が出力した画像を解析し、マーカー６，１２の位置が一致したときに、レンチキュラーシート１と立体表示用プリント１１との位置が一致したものとして、その位置において保持部２２の駆動を停止する。また、制御部２９は、本実施形態によるレンチキュラープリント作成装置２０の各部の駆動を制御する。すなわち、固定部２１における立体表示用プリント１１の固定、保持部２２におけるレンチキュラーシート１の保持および移動、検出部２４の移動およびレンチキュラーシート１と立体表示用プリント１１との位置合わせ、加熱部２５の移動および加熱、剥離部２６の移動、加圧ローラ２７の移動および加圧、並びに切断部２８の駆動を制御する。
【００３７】
次いで、本実施形態によるレンチキュラープリント作成装置の動作について説明する。なお、立体表示用プリント１１は固定部２１に固定され、レンチキュラーシート１は保持部２２に保持されているものとする。図８は本実施形態において行われる処理を示すフローチャートである。まず、制御部２９は保持部２２を駆動してレンチキュラーシート１を立体表示用プリント１１に接触させ、検出部２４をマーカー６，１２の近傍に移動し、検出部２４にマーカー６，１２の撮影を行わせて、レンチキュラーシート１と立体表示用プリント１１との位置合わせを行う（ステップＳＴ１）。そして、位置合わせが完了すると（ステップＳＴ２肯定）、制御部２９は検出部２４を退避させ、加熱部２５をレンチキュラーシート１の領域Ａ１の近傍に移動し、領域Ａ１を加熱する（ステップＳＴ３）。これにより、レンチキュラーシート１の領域Ａ１と立体表示用プリント１１の領域Ａ１１とが接着される。
【００３８】
接着後、制御部２９は加熱部２５の加熱を停止するとともに加熱部２５を退避させ、図９に示すように保持部２２を駆動して、レンチキュラーシート１をその領域Ａ２側を上方に持ち上げるように移動する（ステップＳＴ４）。そして剥離部２６を駆動して、レンチキュラーシート１の剥離シート５を図１０に示すように、矢印Ａ方向に巻き取ることにより、レンチキュラーシート１から剥離シート５を剥離する（ステップＳＴ５）。ここで、レンチキュラーシート１における領域Ａ１と領域Ａ２とは、Ａ３の間隔が空けられているため、剥離シート５を最後まで巻き取って剥離シート５をレンチキュラーシート１から剥離することが可能となっている。
【００３９】
剥離シート５をレンチキュラーシート１から剥離した後、制御部２９は、剥離部２６を退避させ、保持部２２を駆動してレンチキュラーシート１を立体表示用プリント１１に接触させる（ステップＳＴ６）。そして、加圧ローラ２７を駆動して、レンチキュラーシート１を立体表示用プリント１１に向けて加圧して、レンチキュラーシート１の領域Ａ２と立体表示用プリント１１の立体画像Ｇ３がプリントされた領域Ａ１２とを接着する（ステップＳＴ７）。接着後、制御部２９は加圧ローラ２７を退避させるとともに、固定部２１における負圧を停止して立体表示用プリント１１の固定を解除する（ステップＳＴ８）。そして、保持部２２を駆動して、接着されたレンチキュラーシート１および立体表示用プリント１１を切断部２８へ移動し（ステップＳＴ９）、接着されたレンチキュラーシート１および立体表示用プリント１１における不要領域を切断する（ステップＳＴ１０）。これにより、レンチキュラープリントの作成が完了する。
【００４０】
このように、本実施形態においては、レンチキュラーシート１と立体表示用プリント１１との位置合わせ後に、レンチキュラーシート１の領域Ａ１と、立体表示用プリント１１における立体画像Ｇ３が付与されていない領域Ａ１１とを接着するようにしたため、剥離シート５を剥離する際にレンチキュラーシート１と立体表示用プリント１１との位置がずれてしまうことを防止できる。したがって、作成されたレンチキュラープリントの立体視を良好に行うことができる。
【００４１】
なお、上記実施形態においては、レンチキュラーシート１の領域Ａ１，Ａ２にそれぞれ接着剤３，４を付与しているが、立体表示用プリント１１に接着剤３，４を付与してもよい。図１１は、他の実施形態による立体表示用プリントを示す平面図である。図１１に示すように立体表示用プリント１１Ａは、レンチキュラーシート１の領域Ａ１と接着するための領域Ａ１１′および立体視を行うための立体画像Ｇ３がプリントされた領域Ａ１２′を有する。そして、領域Ａ１１′には熱溶融性の接着剤３′が付与され、領域Ａ１２′には、透明なアクリル樹脂系の接着剤４′が付与され、接着剤４′には剥離シート５′が貼り付けられている。なお、接着剤３′はマーカー１２′を避けるように付与される。
【００４２】
このような立体表示用プリント１１Ａを用いる場合、レンチキュラーシート１には接着剤３，４を付与する必要はなくなる。また、このような立体表示用プリント１１Ａを用いてレンチキュラープリントを作成する場合には、上述したレンチキュラープリント作成装置１と同様の装置を使用し、剥離部２６を駆動する際に、立体表示用プリント１１Ａの領域Ａ１２′に貼り付けられた剥離シート５′を、図１２に示すように、矢印Ｂ方向に向けて巻き取ることにより剥離すればよい。
【００４３】
なお、上記実施形態においては、位置合わせ後のレンチキュラーシート１と立体表示用プリント１１との接着に熱溶融性の接着剤３を用いているが、加圧することにより接着力を発揮する接着剤、および紫外線等の光の照射により接着力を発揮する接着剤等を用いてもよい。
【００４４】
また、接着剤３の付与位置として、レンチキュラーシート１の短辺の長さ方向に亘って伸びる領域Ａ１を用いているが、図１３に示すように、レンチキュラーシート１の角部近傍の２点に接着剤３を付与するようにしてもよい。立体表示用プリント１１Ａについても、同様に角部近傍の２点の接着剤を付与するようにしてもよい。
【符号の説明】
【００４５】
１    レンチキュラーシート
２    シリンドリカルレンズ
３    熱溶融性の接着剤
４    透明の接着剤
５    剥離シート
１１，１１Ａ    立体表示用プリント
２０    レンチキュラープリント作成装置
【図１】
2010191326.tif 000003
【図２】
2010191326.tif 000004
【図３】
2010191326.tif 000005
【図４】
2010191326.tif 000006
【図５】
2010191326.tif 000007
【図６】
2010191326.tif 000008
【図７】
2010191326.tif 000009
【図８】
2010191326.tif 000010
【図９】
2010191326.tif 000011
【図１０】
2010191326.tif 000012
【図１１】
2010191326.tif 000013
【図１２】
2010191326.tif 000014
【図１３】
2010191326.tif 000015